(57)【特許請求の範囲】
【請求項１】
ラッチを保持した本体軸と、この本体軸に同心的に回転自在に設けられダイヤルつまみを有した回転体とを備え、
上記回転体は、所定の回転位置で上記ラッチが係合し、解錠可能になる解錠用切り欠き溝と、自身の回転軸位置に挿通された指標軸部材と一体に設けられ上記回転体に対して突没自在に設けられた指標板とを備え、
上記ラッチが揺動する空間内に挿入される調整具を有し、
上記指標板は上記調整具により、上記指標軸部材が押圧されて上記回転体から突出し、上記調整具が上記解錠用切り欠き溝に係合して、上記回転体が解錠可能な位置に固定され、
解錠可能な上記回転体の位置を示す上記指標板の位置を、この指標板が上記回転体から突出した状態でその位置を任意に変更可能に設けたことを特徴とするダイヤル錠。
【請求項２】
上記指標板は、弾性的に上記ダイヤルつまみに押し付けられ、上記調整具によりその付勢力に抗して突出させられ、位置変更させるものである請求項１記載のダイヤル錠。
【発明の詳細な説明】
【０００１】
【発明の属する技術分野】
この発明は、郵便受け等の扉に用いられる錠の解錠番号等を変更可能としたダイヤル錠に関する。
【０００２】
【従来の技術】
従来、例えば郵便受け等のダイヤル錠の解除番号は工場出荷時に、それぞれのダイヤル錠に対して初めから決められ、固定されていた。また、特開平９−７８９０９号公報に開示されているようなダイヤル錠における指標の位置決め装置もあった。このダイヤル錠は、ダイヤルの指標を有する蓋部材を所望の角度位置で固定の止め片に対して係着できるようにして、１種類のダイヤル錠で任意の開き勝手に対応可能としたものである。
【０００３】
【発明が解決しようとする課題】
上記従来の技術の前者の場合、顧客の希望解除番号を指定しても変更ができず、また希望の番号を入手することは事実上極めて難しいものであった。また、上記従来の技術の後者の場合、使用者が、任意の番号で解錠可能とするものではなく、構造が複雑であり、コストもかかるものであった。
【０００４】
この発明は、上記従来の技術の問題点に鑑みてなされたもので、顧客が自由に解錠状態を変更でき、且つ簡易な操作で変更可能なダイヤル錠を提供することを目的とする。
【０００５】
【課題を解決するための手段】
この発明は、郵便受け等の扉に取り付けられるダイヤル錠であって、ラッチを保持した本体軸と、この本体軸に同心的に回転自在に設けられダイヤルつまみを有した回転体とを備え、上記回転体は、所定の回転位置で上記ラッチが係合し、解錠可能になる解錠用切り欠き溝と、自身の回転軸位置に挿通された指標軸部材と一体に設けられ上記回転体に対して突没自在に設けられた指標板とを備え、上記ラッチが揺動する空間内に挿入される調整具を有し、上記指標板は上記調整具により、上記指標軸部材が押圧されて上記回転体から突出し、上記調整具が上記解錠用切り欠き溝に係合して、上記回転体が解錠可能な位置に固定され、解錠可能な上記回転体の位置を示す上記指標板の位置を、この指標板が上記回転体から突出した状態でその位置を任意に変更可能に設けたダイヤル錠である。
【０００６】
上記指標板は、弾性的に上記ダイヤルつまみに押し付けられ、上記調整具によりその付勢力に抗して突出させられ、位置変更させるものである。
【０００７】
【発明の実施の形態】
以下、この発明の実施の形態について、図面に基づいて説明する。図１〜図６は、この発明の一実施形態のダイヤル錠１を示す。この実施形態のダイヤル錠１は、円筒状の本体軸２とこの本体軸２に同心的に嵌合した回転体２０とを備えている。
【０００８】
本体軸２は、フランジ状の大径部２ａとそれに続いた小径部２ｂとが同心的に形成され、大径部２ａから小径部２ｂにかけて中空部２ｃが形成されている。本体軸２の小径部２ｂには、この小径部２ｂの一側面に径方向に開口して形成されたコイルばね装着孔４が設けられ、このコイルばね装着孔４にコイルばね１０が、小径部２ｂの略径方向に伸縮可能に装着されている。コイルばね装着孔４に連通して小径部２ｂには、その中央部で側面方向に貫通した所定幅のスリット状のラッチ装着孔６が形成され、ラッチ装着孔６内には、その内面に対して直角であって本体軸２の軸中心位置に、ピン８が設けられている。
【０００９】
ラッチ装着孔６内には、その中心のピン８に軸支されたラッチ１２が設けられている。このラッチ１２は、後述する係止片５２に係合するラッチヘッド１２ａと、小径部２ｂの径方向にラッチ１２を摺動可能とした長孔１２ｂが形成されている。ラッチ１２のラッチヘッド１２ａの一側縁部には、コイルばね１０の先端部に係合する係止部１２ｃが形成され、ラッチ１２は、コイルばね１０により図面上、時計回りに付勢されている。
【００１０】
本体軸２に嵌合した回転体２０は、略円柱状に形成されその中央部に断面が正１０角形のフランジ部１４を一体に有する。フランジ部１４に対して先端部側には、ダイヤルつまみ１８が同心的に形成され、後端部は本体軸２の中空部２ｃに嵌合し、その側面には軸方向に形成されたスリット状の切り欠き溝１６が設けられている。そして、ダイヤルつまみ１８の前端面のわずかに大径に形成された段付き端面１８ａには、軸中心から放射状に１０本の位置決め溝２１が設けられている。
【００１１】
ダイヤルつまみ１８には、段付き端面１８ａから後端部面にかけて連通し同心的に形成された連通孔１９が設けられ、この連通孔１９の段付き端面１８ａ側に、ダイヤルつまみ１８と同軸的に回転および前後摺動自在に遊嵌されている指標軸部材２２が設けられている。指標軸部材２２の前端部には、指標軸部材２２より大きな円板状の指標板２６が同心的に設けられ、指標板２６の一箇所には三角形の指標２４が形成されている。さらに、円板状の指標板２６の裏面には、軸中心から放射状に位置決め凸部２８が設けられ、ダイヤルつまみ１８の位置決め溝２１に係止されている。
【００１２】
ダイヤルつまみ１８の連通孔１９の後端部側には、指標軸部材２２の後端部に螺合し連結されたボルト３２が同心的に挿通されている。ボルト３２には、コイルばね３０が嵌合され、ボルト３２の頭部３２ａと、連通孔１９の小径部１９ａとの間に、圧縮状態でコイルばね３０が装着されている。そして、コイルばね３０により、ダイヤルつまみ１８の段付き端面１８ａの位置決め溝２１に対して、指標板２６の裏面の位置決め凸部２８が弾性的に付勢されて係止されている。
【００１３】
本体軸２の大径部２ａのダイヤルつまみ１８側の側面の、互いに対向する２箇所には、ダイヤルつまみ１８のフランジ部１４の正１０角形側面に弾性的に当接した一対の板ばね３４が設けられている。この一対の板ばね３４間の間隔は、フランジ部１４の互いに対向する対辺間隔より僅かに小さい間隔に設定されている。
【００１４】
本体軸２の大径部２ａには、ダイヤルつまみ１８の直径より僅かに大きな通し孔３６ａが設けられ本体軸２の大径部２ａを覆う椀型の文字盤３６が取り付けられている。文字盤３６の内径は、本体軸２の大径部２ａ及びダイヤルつまみ１８及びそのフランジ部１４を収容可能な直径及び深さに形成され、本体軸２の大径部２ａとはビス３８で固定されている。また、ダイヤルつまみ１８及びそのフランジ部１４は、文字盤３６内で回転可能に設けられている。文字盤３６の前面には、例えば、「０」から「９」までの数字等の文字４０が、ダイヤルつまみ１８のフランジ部１４の正１０角形の各辺に対応して等分割に設けられている。これにより、ダイヤルつまみ１８は、三角形の指標２２と文字盤３６の文字４０のうちの一つを指して係止される。
【００１５】
次に、この実施形態のダイヤル錠１の取り付け状態と使用方法について図２、図６を基にして説明する。ここでは、指標２４が文字４０の「０」の位置で、解錠可能な状態にある。この実施形態のダイヤル錠１は、例えば図６に示すように、図示しない家屋の玄関前に設けられた柱６０の上部側面に設けられた郵便受け４４に利用されたものである。図１において、ダイヤル錠１は、郵便受け４４の扉４６の透孔４７に表側から小径部２ｂが挿通され、両面にシーラー４８を挟んで扉４６の裏面からボルト５０により固着されている。扉４６は、ダイヤル錠１のラッチ１２のラッチヘッド１２ａと、郵便受け４４の裏面に固着されている係止片５２とにより保持されている。ラッチ１２は、その上方後部の係止部１２ｃに係合し付勢したコイルばね１０により、常時図面上、時計回りに付勢されているとともに、図２の解錠可能な状態では、コイルばね装着孔４とスリット状のラッチ装着孔６内に揺動可能となる。
【００１６】
扉４６を開ける際には、扉４６に設けられたダイヤル錠１のダイヤルつまみ１８を引っ張ることにより、郵便受け４４の係止片５２に係止されたラッチ１２が、コイルばね１０の付勢力に抗してピン８を中心に反時計回りに揺動して本体軸２の、コイルばね装着孔４とスリット状のラッチ装着孔６内に退避する。これにより、ラッチ１２は、図２の２点鎖線に示す状態となり、ラッチ１２の先端部は係止片５２を乗り越えて、扉４６は開かれる。また、扉４６を閉めた後は、指標２２の位置が文字４０の「０」以外の位置にダイヤルつまみ１８を回すことにより、ダイヤルつまみ１８の切り欠き溝１６がラッチ装着孔６と一致しなくなり、ラッチ１２が揺動不能となって、施錠状態となる。
【００１７】
次に、この実施形態のダイヤル錠１の解錠番号の変更方法について図４，図５を基にして説明する。まず、ダイヤル錠１を郵便受け４４の扉４６に取り付ける前の状態で、本体軸２のラッチ装着孔６と回転体２０の切り欠き溝１６を一致させ、解錠状態にする。そして、ラッチ装着孔６及び切り欠き溝１６の幅より僅かに薄く、先端部の前側に傾斜部５６が設けられている板状の調整具５８を、本体軸２のラッチ装着孔６及び回転体２０の切り欠き溝１６に挿通する。すると、調整具５８の傾斜部５６は、切り欠き溝１６を通過して、ボルト３２の頭部に達する。さらに調整具５８を押し込むと、ボルト３２は、図５に示すように、コイルばね３０に抗して前側に突出し、これに伴って指標軸部材２２がダイヤルつまみ１８の段付き端面１８ａから突出する。これにより、ダイヤル１８の位置決め溝２１から指標板２６の位置決め凸部２８は離脱し、指標板２６は回転自在となる。
【００１８】
この状態で、指標板２６を任意の位置に回転させ、解除用の文字４０を一つ選択する。使用者は、指標板２６を回して選択した解除文字位置に指標２４を位置させ、指標板２６を段付き端面１８ａ内に押し込み、調整具５８を切り欠き溝１６、ラッチ装着孔６から離脱させる。この状態で、コイルばね３０の付勢力で指標板２６の位置決め凸部２８は、ダイヤルつまみ１８の選択された位置決め溝２１に弾性的に係合される。この時は、まだ解錠可能な状態である。その後、上述したように、扉４６にダイヤル錠４２を固着し、扉４６を閉めてから、ダイヤルつまみ１８を回して、指標２４が選択した解除文字以外の位置に回動し施錠状態となる。
【００１９】
この実施形態のダイヤル錠１は、簡便な調整具５８で、容易に解除可能とする位置の文字を選択することが出来る。しかも、郵便受け４４に取り付けた後も、ダイヤル錠１を扉４６から外して解錠番号を変更することもできる。
【００２０】
なお、この発明のダイヤル錠は、上記実施形態に限定されるものではなく、ラッチヘッドや、ダイヤルつまみ、文字等は適宜選択可能なものであり、指標板の形状も適宜選択可能である。
【００２１】
【発明の効果】
この発明のダイヤル錠は、簡便な調整具で容易に解除位置を選択することが出来、取り付け施工が容易であり、また、取り付け後の設定変更も容易に可能なものである。
【図面の簡単な説明】
【図１】  この発明の一実施形態のダイヤル錠の正面図である。
【図２】  この発明の一実施形態のダイヤル錠の取り付け状態の縦断面図である。
【図３】  図２のＡ−Ａ線断面図である。
【図４】  図２のダイヤル錠の切り欠き溝に調整具を入れた縦断面図である。
【図５】  図２のダイヤル錠の切り欠き溝に調整具を入れて押し込んだ縦断面図である。
【図６】  この発明の一実施形態のダイヤル錠を郵便受けの扉に取り付けた例の斜視図である。
【符号の説明】
１    ダイヤル錠
２    本体軸
４    コイルバネ装着孔
６    ラッチ装着孔
１０，３０  コイルばね
１２    ラッチ
１４  フランジ部
１８  ダイヤルつまみ
２１  位置決め溝
２２  指標軸部材
２４  指標
２６  指標板
２８  位置決め凸部
３２  ボルト
３４  板ばね
３６  文字盤
４０  文字
４４  郵便受け
４６  扉
５８  調整具
【図１】
0004567152.tif 000002
【図２】
0004567152.tif 000003
【図３】
0004567152.tif 000004
【図４】
0004567152.tif 000005
【図５】
0004567152.tif 000006
【図６】
0004567152.tif 000007